【事件の表示】
　特願２００２−　７０８０５「液晶装置、電子機器」拒絶査定不服審判事件〔平成１５年　９月２５日出願公開、特開２００３−２７０６３９〕について、次のとおり審決する。
【結　論】
　本件審判の請求は、成り立たない。
【理　由】
１　手続の経緯
　本願は、平成１４年３月１４日に特許出願したものであって、平成１７年３月１１日付け及び平成１９年９月３日付けで手続補正がなされたが、同年１０月１２日付けで拒絶査定がなされ、これに対し、同年１１月９日付けで拒絶査定不服審判請求がなされるとともに、同日付けで手続補正（以下「本件補正」という。）がなされたものである。
　
２　本件補正についての却下の決定
（１）結論
　 本件補正を却下する。
　
（２）理由
　ア　補正の内容
　本件補正は、特許請求の範囲の請求項１につき、補正前の
「液晶層を挟持する一対の基板間にスペーサーが配置され、透過表示を行うための透過表示領域と反射表示を行うための反射表示領域とを有するドット表示領域が複数設けられた液晶装置であって、
　前記一対の基板のいずれか一方の基板には、前記反射表示領域における前記液晶層の層厚を前記透過表示領域における前記液晶層の層厚よりも薄くするための液晶層層厚制御層が形成され、
　前記スペーサーは前記液晶層層厚制御層の上に選択的に配設されていることを特徴とする液晶装置。」
を
「液晶層を挟持する一対の基板間にスペーサーが配置され
、
、反射層が設けられた
　前記一対の基板のいずれか一方の基板には、前記反射表示領域における前記液晶層の層厚を前記透過表示領域における前記液晶層の層厚よりも薄くするための液晶層層厚制御層が形成され、
　
前記スペーサーは前記透過表示領域と前記反射表示領域のうち前記反射表示領域にのみ配設され、
　前記スペーサーは、前記液晶層層厚制御層の上
の前記反射層と重なる領域
に補正する内容を含むものである。
　
　イ　補正の目的
（ア）補正前の請求項１（以下「旧請求項１」という。）の「透過表示を行うための透過表示領域と」を「透過表示領域と、」とする補正については、補正後の「透過表示領域」が「透過表示を行うための」領域であることは明らかであるから、特段意味内容を変更するものではないものと認められる。
　
（イ）旧請求項１の「反射表示を行うための反射表示領域」を「反射層が設けられた反射表示領域」とする補正については、補正後の「反射表示領域」が「反射表示を行うための」領域であることは明らかであって、旧請求項１の「反射表示領域」につき「反射層が設けられた」ものであることを限定するものと認められる。
　
（ウ）「前記スペーサーは前記透過表示領域と前記反射表示領域のうち前記反射表示領域にのみ配設され、」との事項を付加し、旧請求項１の「前記スペーサーは前記液晶層層厚制御層の上に選択的に配設されている」を「前記スペーサーは、前記液晶層層厚制御層の上の前記反射層と重なる領域に選択的に配設されている」とする補正については、旧請求項１において「前記液晶層層厚制御層の上に選択的に配設されている」とされるスペーサーが配設される領域を限定するものと認められる。
　
（エ）以上のとおりであるから、請求項１を全体としてみると、本件補正は、平成１４年法律第２４号による改正前の特許法第１７条の２第４項第２号に規定する特許請求の範囲の減縮を目的とするものに該当すると認められる。
　
　ウ　独立特許要件
　本件補正後の請求項１に係る発明（以下「本願補正発明」という。）が特許出願の際独立して特許を受けることができるものであるかについて検討する。
　
（ア）刊行物の記載
　ａ　本願出願前に頒布された刊行物である特開平１１−１０１９９２号公報（以下「刊行物１」という。）には、以下の記載がある。
　
（ａ）「【請求項１】  複数のゲート配線と、該ゲート配線と直交するように配置された複数のソース配線と、前記ゲート配線と前記ソース配線の交差部付近に設けられたスイッチング素子と、該スイッチング素子に接続された画素電極とを備えたアクティブマトリクス基板を備えた液晶表示装置において、
前記画素電極は、前記ゲート配線と前記ソース配線に囲まれた領域に層間絶縁膜を介して前記ゲート配線及び前記ソース配線と一部が重なるように設けられると共に、前記画素電極は、透過領域と、前記ゲート配線、前記ソース配線又は前記スイッチング素子上に形成される反射領域とから成ることを特徴とする液晶表示装置。
・・・
【請求項６】  前記反射領域の液晶の厚みを前記透過領域の液晶層の厚みより小さくすることを特徴とする請求項１乃至請求項４に記載の液晶表示装置。」
　
（ｂ）「【００５７】
　図１０に電極構造の異なる液晶表示装置を示す。この液晶表示装置は、反射領域において、液晶層に電圧を印加する電極は透明電極となるが、反射領域の透明電極の下には透明な絶縁層を介して反射電極が形成されている。反射電極上に形成された絶縁層によって、反射領域と透過領域の液晶層の厚みが異なっている。
【００５８】
　ｄｒ＜ｄｆとすると、画素電極の反射領域において液晶を往復して通過する周囲光の液晶層での光路長と画素電極の透過領域において液晶を通過する光の液晶層での光路長を近づけることができ画素電極の反射領域と透過領域での液晶層での光の特性の変化を揃えることができる。」
　
（ｃ）上記（ａ）及び（ｂ）を踏まえて図１０をみると、図１０における「基板」とは、上記（ａ）における「アクティブマトリックス基板」に相当するものであって、液晶層がアクティブマトリクス基板と対向基板との間に挟持されること、また、図１０における「反射板」とは、上記（ｂ）における「反射電極」に相当するものであって、反射電極及び絶縁層がアクティブマトリクス基板側に形成されること、及び、アクティブマトリクス基板と対向基板との間に挟持される液晶層の厚みにつき、反射電極が形成された反射領域における厚みが、透過領域における厚みよりも小さいものであることが把握できる。
　
　ｂ　同じく、実願平１−１１０３００号（実開平３−４９５３１号のマイクロフィルム）（以下「刊行物２」という。）には、以下の記載がある。
　
（ａ）「少なくとも、対向配置された一対の透明基板に液晶を封入してなり、その一方の透明基板の内面に設けられた複数のカラーフィルタの各色に応じて前記透明基板間に複数の異なるギャップを持ったカラー液晶表示装置において、前記ギャップを決定するための面内ギャップ剤を、前記透明基板間の、ギャップが最も狭い領域にのみ散布したことを特徴とするカラー液晶表示装置。」（１頁５行〜１３行）。
　
（ｂ）「〔考案が解決しようとする課題〕
　・・・複数の異なるギャップを持つカラー液晶表示装置では、例えば青色カラーフィルタが最も厚くできている場合、この青色カラーフィルタ上のギャップが最も狭くなる。そのため、上記従来の装置のように透明基板間の全体に同一径の面内ギャップ剤を散布した場合、実際にギャップ形成に寄与するのは、青色カラーフィルタのところだけである。従って、赤色カラーフィルタや緑色カラーフィルタ上に散布された面内ギャップ剤はギャップの形成に全く寄与しないばかりか、このように不要なギャップ剤がたくさん存在することにより様々な不良が発生しやすく、品質や歩留まりを低下させてしまうという問題があった。」（４頁下から２行〜５頁１３行）。
　
（ｃ）「〔作　　　用〕
　ギャップが最も狭いところにのみ面内ギャップ剤を散布した場合、その他のギャップのところには面内ギャップ剤が存在しなくなる。例えば青色カラーフィルタ上にのみギャップ剤を散布した場合には、もともとギャップ形成とは無関係な赤色や緑色のカラーフィルタ上には面内ギャップ剤が存在しなくなる。よって、ギャップ形成に寄与しない不要な面内ギャップ剤がなくなった分だけ、透明基板間全体における面内ギャップ剤の総数を大幅に減少できるので、面内ギャップ剤を使用することに起因する白点不良や色抜け不良等の各種不良を軽減して、品質及び歩留まりを著しく向上させることができる。」（７頁１行〜１４行）
　
（イ）引用発明
　ａ　上記（ア）ａによれば、刊行物１には、次の発明が記載されているものと認められる。
「複数のゲート配線と、該ゲート配線と直交するように配置された複数のソース配線と、前記ゲート配線と前記ソース配線の交差部付近に設けられたスイッチング素子と、該スイッチング素子に接続された画素電極とを備えたアクティブマトリクス基板、及び、対向基板を備え、液晶層がアクティブマトリクス基板と対向基板との間に挟持された液晶表示装置において、前記画素電極は、前記ゲート配線と前記ソース配線に囲まれた領域に層間絶縁膜を介して前記ゲート配線及び前記ソース配線と一部が重なるように設けられると共に、前記画素電極は、透過領域と、前記ゲート配線、前記ソース配線又は前記スイッチング素子上に形成される反射領域とから成るものであって、該画素電極は、反射領域において、アクティブマトリクス基板側に、液晶層に電圧を印加する透明電極の下に透明な絶縁層を介して反射電極が形成されており、反射電極上に形成された絶縁層によって、反射電極が形成された反射領域における液晶層の厚みが、透過領域における液晶層の厚みよりも小さいものとなっている液晶表示装置。」（以下「引用発明１」という。）
　
　ｂ　上記（ア）ｂによれば、刊行物２には、次の発明が記載されているものと認められる。
　
「対向配置された一対の基板に液晶を封入し、前記一対の基板の一方の基板に設けられたカラーフィルタによって、前記基板間に複数の異なるギャップが形成されたカラー液晶表示装置において、面内ギャップ剤を、前記基板間の、ギャップが最も狭い領域にのみ散布し、ギャップ形成に寄与しない不要な面内ギャップ剤がなくなった分だけ、基板間全体における面内ギャップ剤の総数を大幅に減少でき、面内ギャップ剤を使用することに起因する白点不良や色抜け不良等の各種不良を軽減して、品質及び歩留まりを向上させるカラー液晶表示装置。」（以下「引用発明２」という。）。
　
（ウ）対比
　本願補正発明と引用発明１とを対比する。
　
　ａ　引用発明１は「液晶層」が「液晶層がアクティブマトリクス基板と対向基板との間に挟持された」ものであるから、該「アクティブマトリクス基板と対向基板」は、本願補正発明の「液晶層を挟持する一対の基板」に相当する。そして、「液晶層を挟持する一対の基板間にスペーサーが配置され」ることは、技術上の常識であるから、引用発明１は、本願補正発明の「液晶層を挟持する一対の基板間にスペーサーが配置され、」との事項を備えるものである。
　
　ｂ　引用発明１の「透過領域」、「反射電極」、「反射領域」及び「液晶表示装置」は、それぞれ、本願補正発明の「透過表示領域」、「反射層」、「反射表示領域」及び「液晶装置」に相当し、引用発明１は、「反射領域において、・・・液晶層に電圧を印加する透明電極の下に透明な絶縁層を介して反射電極が形成されて」いるものであるから、本願補正発明の「反射層が設けられた反射表示領域」との事項を備えるものである。
　そして、本願明細書には、「本発明の液晶装置において、ドット表示領域とは実質的に表示に寄与する領域のことを言い、非表示領域は複数のドット表示領域の境界部に位置し、遮光層（ブラックマトリクス）を含むものとすることができる。」（【０００８】）との記載があるところ、引用発明１が「実質的に表示に寄与する領域」を複数備えることは当業者にとって明らかであるから、引用発明１は、本願補正発明の「透過表示領域と、反射層が設けられた反射表示領域とを有するドット表示領域が複数設けられた液晶装置」との事項を備えるものである。
　
　ｃ　引用発明１は、「反射電極上に形成された絶縁層によって、基板と対向基板との間に挟持される液晶層の厚みにつき、反射電極が形成された反射領域における厚みが、透過領域における厚みよりも小さいものとなっている」ものであるから、引用発明１の「絶縁層」は、本願補正発明の「前記反射表示領域における前記液晶層の層厚を前記透過表示領域における前記液晶層の層厚よりも薄くするための液晶層層厚制御層」に相当する。
　そして、引用発明１は、「アクティブマトリクス基板側に、液晶層に電圧を印加する透明電極の下に透明な絶縁層を介して反射電極が形成され」たものであるから、本願補正発明の「前記一対の基板のいずれか一方の基板には、前記反射表示領域における前記液晶層の層厚を前記透過表示領域における前記液晶層の層厚よりも薄くするための液晶層層厚制御層が形成され、」との事項を備えるものである。
　
　ｄ　以上によれば、両者は、
「液晶層を挟持する一対の基板間にスペーサーが配置され、透過表示領域と、反射層が設けられた反射表示領域とを有するドット表示領域が複数設けられた液晶装置であって、
　前記一対の基板のいずれか一方の基板には、前記反射表示領域における前記液晶層の層厚を前記透過表示領域における前記液晶層の層厚よりも薄くするための液晶層層厚制御層が形成されている液晶装置。」
である点で一致し、
「一対の基板間に配置されるスペーサーにつき、本願補正発明では、「前記スペーサーは前記透過表示領域と前記反射表示領域のうち前記反射表示領域にのみ配設され、前記スペーサーは、前記液晶層層厚制御層の上の前記反射層と重なる領域に選択的に配設されている」のに対して、引用発明１では、スペーサーがどのように配設されるのか不明である点。」（以下「相違点１」という。）
で相違するものと認められる。
　
（エ）判断
　ａ　「対向配置された一対の基板に液晶を封入し、前記一対の基板の一方の基板に設けられたカラーフィルタによって、前記基板間に複数の異なるギャップが形成されたカラー液晶表示装置において、面内ギャップ剤を、前記基板間の、ギャップが最も狭い領域にのみ散布し、ギャップ形成に寄与しない不要な面内ギャップ剤がなくなった分だけ、基板間全体における面内ギャップ剤の総数を大幅に減少でき、面内ギャップ剤を使用することに起因する白点不良や色抜け不良等の各種不良を軽減して、品質及び歩留まりを向上させるカラー液晶表示装置。」である引用発明２は、基板間に複数の異なるギャップが形成された液晶表示装置において、面内ギャップ剤を、前記基板間の、ギャップが最も狭い領域にのみ散布することにより、面内ギャップ剤を使用することに起因する白点不良や色抜け不良等の各種不良を軽減して、品質及び歩留まりを向上させる技術を開示するものといえる。
　
　ｂ　しかるところ、引用発明１は、「反射電極上に形成された絶縁層によって、基板と対向基板との間に挟持される液晶層の厚みにつき、反射電極が形成された反射領域における厚みが、透過領域における厚みよりも小さいものとなっている」ものであって、基板間に複数の異なるギャップが形成された液晶表示装置である点において引用発明２と共通するものであるから、引用発明１に、引用発明２が開示する上記技術を適用し、「基板間の、ギャップが最も狭い領域」である、「反射電極が形成された反射表示領域」にのみスペーサーを配設することは、当業者が容易になし得る程度のことである。
　ここで、引用発明１においてスペーサーを配設する「反射電極が形成された反射表示領域」は、「絶縁層」の上の「反射電極」と重なる領域となるものと認められる。
　
　ｃ　よって、相違点１に係る本願補正発明の構成とすることは、当業者が容易になし得る程度のことである。
　
（オ）小括
　以上の検討によれば、本願補正発明は、刊行物１及び刊行物２にそれぞれ記載された発明に基づいて当業者が容易に発明をすることができたものであるから、特許法第２９条第２項の規定により、特許出願の際独立して特許を受けることができないものである。
　したがって、本件補正は、平成１４年法律第２４号による改正前の特許法第１７条の２第５項において準用する同法第１２６条第４項の規定に違反するものであるから、同法第１５９条第１項の規定において読み替えて準用する同法第５３条第１項の規定により却下すべきものである。
　
３　本願発明について
（１）本願発明
　上記のとおり、本件補正は却下されたので、本願の請求項に係る発明は、平成１９年９月３日付けで補正された明細書及び図面の記載からみて、その特許請求の範囲の請求項１ないし請求項５に記載された事項によって特定されるものであるところ、請求項１に係る発明は、前記２（２）アにおいて、補正前のものとして示したとおりのものである。
　
（２）刊行物の記載
　ア　原査定の拒絶の理由に引用した、本願出願前に頒布された刊行物である特開２０００−１８７２１０号公報（以下「刊行物３」という。）には、以下の記載がある。
　
「【００３３】
　本発明による反射透過両用型液晶表示装置１００の一部を模式的に、図１に示す。図１（ａ）は上面図であり、図１（ｂ）は図１（ａ）のＡ−Ａ’線に沿った断面図である。
【００３４】
　液晶表示装置１００は、絵素領域１１０内に、反射領域１１０Ｒと透過領域１１０Ｔとを有する反射透過両用型の液晶表示装置である。反射領域１１０Ｒおよび透過領域１１０Ｔは、アクティブマトリクス基板２０上の反射電極領域１９と透過電極領域１８とによってそれぞれが規定される。この例では、反射電極領域１９は反射電極、透過電極領域１８は透明電極でそれぞれ形成されている。反射電極１９と透明電極１８は、薄膜トランジスタ（ＴＦＴ）２１に接続されており、絵素電極として機能する。
【００３５】
　液晶表示装置１００は、マトリクス状に配置された複数の絵素領域１１０からなる表示領域３８と、表示領域３８の周辺の非表示領域３７とを有している。非表示領域３７の外周部には、アクティブマトリクス基板２０と対向基板（カラーフィルタ基板）６０を貼り合わせるとともに、液晶層７０を両基板２０および６０の間に封入するためのシール部５０で規定されるシール領域３５とを有している。・・・
【００３６】
　反射電極１９は、層間絶縁層１５上に形成されている。反射電極１９が形成されている部分の層間絶縁層１５の表面１５ａは凹凸形状を有している。これは、反射電極１９の反射面を凹凸形状とし、干渉色の発生の少ない良好な白色表示が可能な反射特性を実現するためである。また。層間絶縁層１５の厚さを調整することによって、反射領域１１０Ｒの液晶層７０の厚さｄＲを透過領域１１０Ｔの液晶層７０の厚さｄＴの１／２倍となるように制御することができる。この層間絶縁層１５は、表示領域３８内の反射電極領域１１０Ｒ内だけでなく、非表示領域３７内にも形成されている。
【００３７】
　一対の基板２０と６０との間隔セルギャップは、セル内スペーサー３４により一定値に保持され、シール内スペーサー３６を添加したシール材料により強固に接着されている。・・・
【００３８】本発明によると、セル内スペーサー３４によって規定されるセルギャップに影響を与える、スペーサー支持面である表示領域３８内の反射電極１９表面の基板表面からの高さまたは反射電極で覆われていない層間絶縁層１５表面の基板表面からの高さｈｄと、非表示領域３７内の層間絶縁層１５表面の基板表面からの高さｈｐとが実質的に同じであり、セルギャップのバラツキによる表示不良が発生しない。
【００３９】表示領域３８内の反射電極１９表面の基板表面からの高さまたは反射電極で覆われていない層間絶縁層１５表面の基板表面からの高さｈｄと、非表示領域３７内の層間絶縁層１５の高さｈｐとが実質的に同じとは、同一の粒径のスペーサーによって表示領域３８および非表示領域３７のセルギャップを制御した場合に、表示領域３８と非表示領域３７との境界領域において表示不良を生じるようなセルギャップの変化を生じさせないことをいう。すなわち、表示領域３８内の反射電極１９上または層間絶縁層１５上および非表示領域３７内の層間絶縁層１５上に設けられた同一粒径のスペーサー３４によって一対の基板２０および６０の間隔が均一に制御される状態を実現するために必要な層間絶縁層１５表面の基板表面からの高さ（高さの範囲および／または高さの分布）の条件をいう。・・・」
　
　イ　原査定の拒絶の理由に引用した、本願出願前に頒布された刊行物である刊行物２には、前記２（２）ウ（ア）ｂのとおりの記載がある。
　
（３）引用発明
　ア　上記（２）アによれば、刊行物３には、次の発明が記載されているものと認められる。
　
「アクティブマトリクス基板２０と対向基板６０との間に液晶層７０を封入し、反射領域１１０Ｒと透過領域１１０Ｔとを有する絵素領域１１０が複数設けられた反射透過両用型液晶表示装置であって、前記反射領域１１０Ｒと透過領域１１０Ｔは、アクティブマトリクス基板２０上の反射電極１９と透明電極１８とによってそれぞれが規定され、前記反射電極１９は、層間絶縁層１５上に形成され、該層間絶縁層１５の厚さを調整することによって、反射領域１１０Ｒの液晶層７０の厚さｄＲが透過領域１１０Ｔの液晶層７０の厚さｄＴの１／２倍になるようにし、反射電極１９上または層間絶縁層１５上に設けられた同一粒径のスペーサー３４によりセルギャップが一定値に保持された反射透過両用型液晶表示装置。」（以下「引用発明３」という。）
　
　イ　上記（２）イによれば、刊行物２には、前記２（２）ウ（イ）ｂのとおりの引用発明２が記載されているものと認められる。
　
（４）対比
　本願発明と引用発明３とを対比する。
　
　ア　引用発明３は、「アクティブマトリクス基板２０と対向基板６０との間に液晶層７０を封入」したものであるから、該「アクティブマトリクス基板２０と対向基板６０」は、本願発明の「液晶層を挟持する一対の基板」に相当する。また、引用発明３の「スペーサー３４」、「透過領域１１０Ｔ」、「反射領域１１０Ｒ」及び「反射透過両用型液晶表示装置」は、それぞれ、本願発明の「スペーサー」、「透過表示を行うための透過表示領域」、「反射表示を行うための反射表示領域」及び「液晶装置」に相当する。
　そして、本願明細書には、「本発明の液晶装置において、ドット表示領域とは実質的に表示に寄与する領域のことを言い、非表示領域は複数のドット表示領域の境界部に位置し、遮光層（ブラックマトリクス）を含むものとすることができる。」（【０００８】）との記載があるところ、引用発明３が「実質的に表示に寄与する領域」を複数備えることは当業者にとって明らかであるから、引用発明３は、本願発明の「透過表示を行うための透過表示領域と反射表示を行うための反射表示領域とを有するドット表示領域が複数設けられた液晶装置」との事項を備えるものである。
　
　イ　引用発明３は、「層間絶縁層１５の厚さを調整することによって、反射領域１１０Ｒの液晶層７０の厚さｄＲが透過領域１１０Ｔの液晶層７０の厚さｄＴの１／２倍になるように」したものであるから、引用発明３の「層間絶縁層１５」は、本願発明の「前記反射表示領域における前記液晶層の層厚を前記透過表示領域における前記液晶層の層厚よりも薄くするための液晶層層厚制御層」に相当する。
　そして、引用発明３の「反射電極１９」は「層間絶縁層１５上に形成され」、「アクティブマトリクス基板上」のものであるから、「層間絶縁層１５」も「アクティブマトリクス基板上」のものである。
　よって、引用発明３は、本願発明の「前記一対の基板のいずれか一方の基板には、前記反射表示領域における前記液晶層の層厚を前記透過表示領域における前記液晶層の層厚よりも薄くするための液晶層層厚制御層が形成され、」との事項を備えるものである。
　
　ウ　引用発明３の「スペーサー３４」は、「反射電極１９上または層間絶縁層１５上に設けられた」ものであって、「反射電極１９」は「層間絶縁層１５上に形成され」たものであるから、上記イに照らすと、引用発明３は、「スペーサーは前記液晶層層厚制御層の上に配設されている」ものといえ、この点において、本願発明の「スペーサーは前記液晶層層厚制御層の上に選択的に配設されている」との事項と一致する。
　
　エ　以上によれば、両者は、
「液晶層を挟持する一対の基板間にスペーサーが配置され、透過表示を行うための透過表示領域と反射表示を行うための反射表示領域とを有するドット表示領域が複数設けられた液晶装置であって、
　前記一対の基板のいずれか一方の基板には、前記反射表示領域における前記液晶層の層厚を前記透過表示領域における前記液晶層の層厚よりも薄くするための液晶層層厚制御層が形成され、
　前記スペーサーは前記液晶層層厚制御層の上に配設されている液晶装置。」
である点で一致し、
「本願発明では、スペーサーは液晶層層厚制御層の上に選択的に配設されているのに対して、引用発明３では、スペーサーは液晶層層厚制御層の上に選択的に配設されているか否か明らかでない点。」（以下「相違点２」という。）
で相違するものと認められる。
　
（５）判断
　ア　「対向配置された一対の基板に液晶を封入し、前記一対の基板の一方の基板に設けられたカラーフィルタによって、前記基板間に複数の異なるギャップが形成されたカラー液晶表示装置において、面内ギャップ剤を、前記基板間の、ギャップが最も狭い領域にのみ散布し、ギャップ形成に寄与しない不要な面内ギャップ剤がなくなった分だけ、基板間全体における面内ギャップ剤の総数を大幅に減少でき、面内ギャップ剤を使用することに起因する白点不良や色抜け不良等の各種不良を軽減して、品質及び歩留まりを向上させるカラー液晶表示装置。」である引用発明２は、基板間に複数の異なるギャップが形成された液晶表示装置において、面内ギャップ剤を、前記基板間の、ギャップが最も狭い領域にのみ散布することにより、面内ギャップ剤を使用することに起因する白点不良や色抜け不良等の各種不良を軽減して、品質及び歩留まりを向上させる技術を開示するものといえる。
　
　イ　しかるところ、引用発明３は、「層間絶縁層１５の厚さを調整することによって、反射領域１１０Ｒの液晶層７０の厚さｄＲが透過領域１１０Ｔの液晶層７０の厚さｄＴの１／２倍になるようにし」たものであって、基板間に複数の異なるギャップが形成された液晶表示装置である点において引用発明２と共通するものであるから、引用発明３に、引用発明２が開示する上記技術を適用し、「基板間の、ギャップが最も狭い領域」である、「層間絶縁層１５が形成された領域」にのみスペーサーを配設することは、当業者が容易になし得る程度のことであり、これにより、「スペーサーは液晶層層厚制御層の上に選択的に配設されている」とする、相違点２に係る本願発明の構成を得ることとなるものと認められる。
　
　ウ　よって、相違点２に係る本願発明の構成とすることは、当業者が容易になし得る程度のことである。
　
４　むすび
　以上の検討によれば、本願発明は、刊行物３及び刊行物２にそれぞれ記載された発明に基づいて当業者が容易に発明をすることができたものであるから、特許法第２９条第２項の規定により特許を受けることができない。
　よって、結論のとおり審決する。